(57)【特許請求の範囲】
【請求項１】
貯蔵室に配され、かつ、この貯蔵室の扉とは独立して前後方向に摺動自在な第１収納容器と、
前記第１収納容器内に配され、かつ、前記第１収納容器とは独立して前後方向に摺動可能な第２収納容器と、
を備え、
前記第１収納容器の前記一方の側壁の上端部に前後方向に摺動溝が形成され、
前記第１収納容器の前記一方の側壁に前後方向に摺動レールが突出し、
前記第２収納容器の前記一方の側壁の上端部から外方に突出した上係合部が、摺動自在に前記摺動溝に係合し、
前記第２収納容器の前記一方の側壁から外方に突出した下係合部が、前記摺動レールの下部に摺動自在に係合している、
冷蔵庫。
【請求項２】
前記第２収納容器が、前記第１収納容器のどちらか一方の側壁にのみ摺動自在に支持されている、
請求項１記載の冷蔵庫。
【請求項３】
前記貯蔵室は、左右一対の観音開き式の扉を有し、
前記第２収納容器の幅が、前記左右一対の扉の中の一方の扉の幅より小さい、
請求項１又は２に記載された冷蔵庫。
【請求項４】
前記貯蔵室内の棚が、前記第１収納容器の上面開口部を閉塞している、
請求項１乃至３のいずれか一項に記載された冷蔵庫。
【請求項５】
前記第１収納容器の前面開口部を閉塞する蓋体を有している、
請求項１乃至４のいずれか一項に記載された冷蔵庫。
【請求項６】
前記第２収納容器に対応する位置にある、前記第１収納容器の前面と後面とがそれぞれ開口している、
請求項１乃至５のいずれか一項に記載された冷蔵庫。
【発明の詳細な説明】
【技術分野】
【０００１】
本発明は、冷蔵庫の冷蔵室などの貯蔵室に設けられた収納容器に関するものである。
【背景技術】
【０００２】
最近は冷蔵庫の冷蔵室が大型化し、その冷蔵室内部に野菜などを収納する収納容器を配した冷蔵庫が提案されている（例えば、特許文献１参照）。
【０００３】
このような冷蔵庫は、野菜室の高さが使用者にとって適当な高さとなり、冷蔵室の扉を開けるだけで簡単に野菜を取り出すことができ、また、冷凍室からの野菜容器への熱影響が無くなるという効果がある。
【特許文献１】特開平５−１５７４２９号公報
【発明の開示】
【発明が解決しようとする課題】
【０００４】
しかしながら、上記のような冷蔵庫において、収納容器は大型であり、その内部に小型の野菜や食品などを収納する場合には、整理して収納し難いという問題点がある。
【０００５】
そこで、本発明は上記問題点に鑑み、貯蔵室内部の収納容器にさらに小型の収納容器を設けた冷蔵庫を提供する。
【課題を解決するための手段】
【０００６】
本発明は、貯蔵室に配され、かつ、この貯蔵室の扉とは独立して前後方向に摺動自在な第１収納容器と、前記第１収納容器内に配され、かつ、前記第１収納容器とは独立して前後方向に摺動可能な第２収納容器と、を備え、前記第１収納容器の前記一方の側壁の上端部に前後方向に摺動溝が形成され、前記第１収納容器の前記一方の側壁に前後方向に摺動レールが突出し、前記第２収納容器の前記一方の側壁の上端部から外方に突出した上係合部が、摺動自在に前記摺動溝に係合し、前記第２収納容器の前記一方の側壁から外方に突出した下係合部が、前記摺動レールの下部に摺動自在に係合している、冷蔵庫である。
【発明の効果】
【０００７】
本発明によれば、第１収納容器内部に第２収納容器を設け、この第２収納容器が第１収納容器とは独立して摺動自在であるため、野菜や食品などを整理して収納し、取り出し易い。
【発明を実施するための最良の形態】
【０００８】
本発明の一実施形態の冷蔵庫１０について図１〜図１３に基づいて説明する。
【０００９】
（１）冷蔵庫１０の構造
図１及び図２に基づいて冷蔵庫１０の構造について説明する。
【００１０】
図１は、冷蔵庫１０の右側から見た縦断面図であり、図２は正面図である。
【００１１】
冷蔵庫１０の本体１１は、上段から冷蔵室１２、製氷室１４、冷凍室１６を有し、製氷室１４の右側には庫内温度を切り替えることができる切替室１８が設けられている。また、冷蔵室１２の背面には機械室２０が設けられ、コンプレッサ２１が収納されている。
【００１２】
冷蔵室１２の扉は左右一対の観音式扉２８，３０であり、製氷室１４、冷凍室１６、切替室１８にはそれぞれ引出し式の扉３２，３４，３６を有している。
【００１３】
冷蔵庫１０は、不図示の２つのエバポレータを有し、第１のエバポレータは冷蔵室１２内部を冷却し、第２のエバポレータは製氷室１４、冷凍室１６及び切替室１８を冷却する。そのため、本体１１は、冷蔵室１２の底面に断熱仕切部２６を有している。
【００１４】
（２）冷蔵室１２の構造
次に、冷蔵室１２の構造について図１〜図３に基づいて説明する。
【００１５】
冷蔵室１２の底面には、チルド室３８が設けられ、チルド室３８内部にはチルド容器４０が前後方向に摺動自在に収納されている。
【００１６】
チルド室３８の上部には、第１収納容器４２が前後方向に摺動自在に配されている。この第１収納容器４２については後から詳しく説明する。
【００１７】
第１収納容器４２の上方には、棚４４が配されている。この棚４４の上方には所定間隔毎に３段の棚４６，４８，５０が設けられている。
【００１８】
冷蔵室１２の扉２８，３０の背面には、それぞれドアポケット５２が形成されている。
【００１９】
（３）第１収納容器４２の構造
次に、第１収納容器４２の構造について説明する。この第１収納容器４２は、野菜などを収納する透明な合成樹脂製の容器であり、上記したように前後方向に摺動自在となっている。第１収納容器４２の幅は、冷蔵室１２の内寸の幅よりやや小さく形成されている。
【００２０】
図７に示すように、第１収納容器４２は、底板５４、左側壁５６、右側壁５８、後壁６０、前面の下部だけ覆う前壁６２とより形成されている。第１収納容器４２の上面及び前面の上部は、開口している。左右側壁５６，５８の前部は、図８に示すようになだらか曲面を形成している。底板５４は、左右方向に延びる凹凸を有している。
【００２１】
冷蔵室１２の両側壁内側には、スライドレール６６が取り付けられ、この一対のスライドレール６４、６４に第１収納容器４２が載置され、第１収納容器４２を前方に引き出すと、一対のスライドレール６４、６４が前方にスライドする。これにより、第１収納容器４２が前後方向に摺動自在としている。なお、第１収納容器４２の摺動は、左右一対の観音式扉２８，３０の開閉とは完全に独立している。
【００２２】
左右側壁５６には、図７に示すように、前後方向に延び、その前部と後部が下方に折曲された押し上げレール６４が突出している。この押し上げレール６４については、後から説明する。
【００２３】
第１収納容器４２の左側上部には、第２収納容器６８が、第１収納容器４２に対し摺動自在に配されている。この摺動構造については後から詳しく説明する。この第２収納容器６８に対応する第１収納容器４２の後壁６０には、後開口部７０が開口している。第２収納容器６８に対応する前面には、上記したように前壁６２は存在しない。
【００２４】
また、第１収納容器４２の左側壁５６の上端部には、第２収納容器６８を固定するために、摺動溝１００が前後方向に形成されている。
【００２５】
上記したように第１収納容器４２の上面及び前面の上部は開口しているため、この上面開口部を覆うために、棚４４が配置されている。棚４４の下部には、第１収納容器４２の開口した前面上部を覆うための折り畳み式の蓋体７２が収納されている。この蓋体７２についても後から説明する。
【００２６】
（４）第２収納容器６８の構造
次に、第２収納容器６８の構造について説明する。この第２収納容器６８は、トマトやキュウリ、その他小型の野菜や食品を収納するための容器である。
【００２７】
第２収納容器６８の本体は、図５に示すように、複数本の針金を折曲して構成した籠７４であり、上面及び前面上部は開口し、底面には皿７５が載置されている。
【００２８】
第２収納容器６８の幅は、図２に示すように観音開き式の扉の左扉２８の幅よりも小さく形成され、左扉２８のみを開けただけで、第２収納容器６８が前方に引き出し可能となっている。
【００２９】
この籠７４の左側壁を構成する縦方向の針金の中で、２本の針金７４１、７４２が左側に突出して延長部７７、７７を形成し、さらにこの延長部７７、７７の先端部が下方に折曲されて折曲部７６、７６を形成している。
【００３０】
２本の折曲部７６、７６の間には、合成樹脂製の上係合部７８が取り付けられる。また、この上係合部７８に対応する位置であって、籠７４の左側壁を構成する縦方向の前記２本の針金７４１、７４２の間には合成樹脂製の下係合部８０が取り付けられる。
【００３１】
図５及び図６に示すように、上係合部７８の本体は上係合板８２である。この上係合板８２の上端部中央から右側に向かって上延長部８３が形成され、さらにこの上延長部８３の右端部には上爪部８４が突出している。上係合板８２の右側の両端部には、上係合凹部８６、８６が縦方向に設けられている。そして、この２個の上係合凹部８６，８６を２本の縦方向の針金からなる折曲部７６，７６に外側から係合すると共に、上延長部８３を延長部７７，７７に被せ、上爪部８４を籠７４の左側壁の上端部にある横方向の針金７４３に外側から係合させることによって、上係合部７８を籠７４の左側壁に固定する。
【００３２】
下係合部８０の本体は、下係合板８８である。この下係合板８８の上部には、左側に向かって延びる下爪部９２を有している。下係合板８８の右側の両端部には下係合凹部９６、９６が縦方向に形成されている。そして、下爪部９２は、籠７４の左側壁を構成する横方向の針金７４４に内側から係合すると共に、２個の下係合凹部９６、９６は、籠７４の左側壁における縦方向の２本の針金７４１、７４２にそれぞれ外側から係合することによって、籠７４の左側壁に取り付けることができる。さらに、下係合板８８の左側下端には、一対の下係合突部９８，９８が突出している。
【００３３】
図８に示すように、上記のようにして取り付けた上係合部７８を、第１収納容器４２の左側壁５６の上端部であって、前後方向に設けられた摺動溝１００に係合する。また、下係合部８０の一対の下係合突部９８は、同じく左側壁５６の内側であって、前後方向に延びた摺動レール１０２の下端に係合させる。この２つの係合部分によって第２収納容器６８が、第１収納容器４２に対し摺動自在に、かつ、片持ちで配することができる。
【００３４】
（５）蓋体７２の構造
蓋体７２の構造について図１１〜図１３に基づいて説明する。
【００３５】
この蓋体７２は、第１蓋部１０４と第２蓋部１０６とが連結されたダンパー構造を有し、折り畳んだ状態で図１１に示すようにそれぞれ第１収納容器４２と棚４４との間に収納可能となっている。
【００３６】
この蓋体７２は、次の２通りの状態がある。
【００３７】
（５−１）第１の状態
第１の状態は、蓋体７２を第１収納容器４２の摺動と連動して使用するものである。
【００３８】
第１収納容器４２を引き出すと、図３及び図７に示すように、左右側壁５６にある押し上げレール６４の前部が、レバー６５を押し上げる。このレバー６５は、左右側壁５６の外方につり下げられ、その上端部が前記棚４４の両端部近傍に回動自在に取り付けられている。このレバー６５の上端部が回動すると、レバー６５のの回転軸に取り付けられた回転部材が回転して、それと連動して第１蓋部１０４と第２蓋部１０６とが上方に移動して（図１２参照）、第１収納容器４２の前面上部が開放状態となる（図１１参照）。
【００３９】
一方、第１収納容器４２を収納すると、図１１〜図１３に示すように、押し上げレール６４の後部が、レバー６５を再び回動させて第１蓋部１０４と第２蓋部１０６とが下方に移動する。すなわち、第１収納容器４２の曲面で構成された左側壁５６、右側壁５８に沿って移動し（図１２参照）、第１蓋部１０４と第２蓋部１０６とによって、第１収納容器４２の前面上部が閉塞される（図１３参照）。
【００４０】
（５−２）第２の状態
第２の状態は、蓋体７２を第１収納容器４２の摺動と非連動状態とするものである。
【００４１】
図９と図１０に示すように、第１蓋部１０４と第２蓋部１０６とを棚４４の下方にユーザーの手によって押し上げて収納する。このように収納するとレバー６５と蓋体７との連動が解除される。そのため、第１収納容器４２を収納状態にしても、その前面上部が常に開放した状態となる。
【００４２】
（６）第１収納容器４２と第２収納容器６８の使用方法
（６−１）第１の使用方法
第１の使用方法は。蓋体７２が第１収納容器４２の摺動と連動している場合である。
【００４３】
第１収納容器４２と第２収納容器６８内部には、上記したように野菜などの食品がそれぞれ収納され、収納状態では図１３に示すように蓋体７２が第１収納容器４２の前面上部を閉塞し、棚４４が第１収納容器４２の上方開口部を閉塞している。このため、収納された食品が乾燥したりすることがない。
【００４４】
第１収納容器４２を使用する場合には、左右一対の扉２８，３０を開け、第１収納容器４２を前方に引き出す。この場合には第２収納容器６８も同時に前方に引き出される。また、第１収納容器４２を前方に引き出すと、その引き出しにより第１蓋部１０４と第２蓋部１０６が上方に移動する。そのため、第１収納容器４２の前方が自動的に開放される。
【００４５】
この引き出した状態で、第２収納容器６８を除いて第１収納容器４２に食品を収納する場合には、第２収納容器６８のみを手で後方に押す。すると、第２収納容器６８は摺動溝１００に沿って後退する。この場合に第１収納容器４２の後面には後開口部７０が開口しているため、第２収納容器６８の後退を妨げることがない。そして、第１収納容器４２を後方に押すと、第１蓋部１０４と第２蓋部１０６がその後退によって下がり、第１収納容器４２の前方を閉塞する。
【００４６】
次に、第２収納容器６８のみを前方に引き出す場合には、左扉３２のみを開け、第２収納容器６８を前方に引き出す。すると、第２収納容器６８の上下係合部７８，８０はそれぞれ摺動溝１００、摺動レール１０２に沿って前方に移動し、第２収納容器６８のみを引き出すことができる。この場合に、蓋体７２は手で押し上げて、棚４４の方に収納しておく。第２収納容器６８に食品を収納した後には、第２収納容器６８を後方に押して第１収納容器４２に収納して、蓋体７２で閉塞する。
【００４７】
（６−２）第２の使用方法
第２の使用方法は。蓋体７２が第１収納容器４２の摺動と非連動としている場合である。
【００４８】
この場合には、図９に示すように第１収納容器４２を収納状態としたままで、蓋体７２を持ち上げることなく前面上部から野菜などの食品を出し入れできる。このとき第１収納容器４２は開放状態であるため、蓋体７２を閉塞させた状態と比べると若干保湿性能に劣るが、収納容器内に冷気を吹き出さないようにしたり、２つのエバポレータを設け、冷凍冷却運転中に冷蔵用冷却器に着霜した水分を冷蔵室１２内に還元することで、第１収納容器４２内部の湿度を十分に保持することができる。
【００４９】
また、図１０に示すように、第２収納容器６８のみを前方に引き出して、第２収納容器６８から食品を出し入れすることができる。
【００５０】
（７）効果
以上により、本実施形態であると、第１収納容器４２に、摺動自在に第２収納容器６８を配することができる。
【００５１】
第２収納容器６８は、第１収納容器４２の左側壁５６にのみ支持された片持ちであっても、その内部に食品を収納することができる。
【００５２】
第２収納容器６８が第１収納容器４２の左側にのみ存在するため、右側には大きな野菜などを収納することができる。
【００５３】
左扉２８の幅より第２収納容器６８の幅が小さいため、左扉２８のみを開けただけで第２収納容器６８を引き出すことができるので、冷気が冷蔵室１２が逃げにくい。
【００５４】
第１収納容器４２の上方の蓋を棚４４で兼用しているため、冷蔵室１２の収納効率を向上させることができる。
【００５５】
第２収納容器６８のみを前方に引き出して、第２収納容器６８から食品を出し入れすることができる。
【００５６】
（８）変更例
本発明は上記実施形態に限らず、その主旨を逸脱しない限り種々に変更することができる。
【００５７】
上記実施形態では、第２収納容器６８を左側壁５６に片持ちさせたが、右側壁５８に片持ちさせてもよい。
【００５８】
また、冷蔵室１２に限らず、冷凍室１６の収納容器に第２の収納容器を同様にして設けてもよい。
【００５９】
さらに、第１収納容器４２には蓋体７２を有する形態で説明したが、蓋体７２を設けなくてもよい。
【図面の簡単な説明】
【００６０】
【図１】本発明の一実施形態を示す冷蔵庫の側方から見た断面図である。
【図２】冷蔵庫の正面図である。
【図３】冷蔵室の下方の斜視図である。
【図４】冷蔵室の横断面図である。
【図５】第２収納容器に上係合部と下係合部を取り付けようとしている状態の斜視図である。
【図６】第２収納容器に第１係合部と第２係合部を取り付けた状態の斜視図と、その拡大図である。
【図７】第１収納容器に第２収納容器を取り付けた状態の斜視図である。
【図８】図７におけるＡ−Ａ線断面図である。
【図９】第１収納容器に第２収納容器を収納した状態の縦断面図である。
【図１０】第１収納容器から第２収納容器を引き出した状態の縦断面図である。
【図１１】蓋体を閉じようとしている状態の斜視図である。
【図１２】図１１よりもさらに蓋体を閉めようとしている状態の縦断面図である。
【図１３】蓋体を閉めた状態の縦断面図である。
【符号の説明】
【００６１】
１０  冷蔵庫
１２  冷蔵室
２８  左扉
３０  右扉
４２  第１収納容器
４４  棚
５６  左側壁
６０  後壁
６２  前壁
６８  第２収納容器
７０  後開口部
７２  蓋体
７４  容器本体
７６  折曲部
７８  上係合部
８０  下係合部
１００  摺動溝
１０２  摺動レール
【図１】
0005091586.tif 000002
【図２】
0005091586.tif 000003
【図３】
0005091586.tif 000004
【図４】
0005091586.tif 000005
【図５】
0005091586.tif 000006
【図６】
0005091586.tif 000007
【図７】
0005091586.tif 000008
【図８】
0005091586.tif 000009
【図９】
0005091586.tif 000010
【図１０】
0005091586.tif 000011
【図１１】
0005091586.tif 000012
【図１２】
0005091586.tif 000013
【図１３】
0005091586.tif 000014